(57)【要約】【課題】本発明は、１つの飲料用容器で２種類の飲料水を飲むことができ、かつ飲み残しを無くすることができ、液密の仕切りを形成し構造的に強い２種飲料用容器を提供する。【解決手段】本発明の２種飲料用容器は、有底筒体の容器中央部に縦仕切り１を一体成型し分離された２つの分離室２，２を備えた容器本体３と、該容器本体３の上端面の周縁部近傍に前記縦仕切りを１挟んで点対称位置に円筒体の飲み口４，４を設けた蓋体５と、前記容器本体３の上端縁と前記蓋体５の円周縁とを熱溶着すると共に前記飲み口４，４にキャップ６，６を螺合したものである。【選択図】図１
2014159294.tif 000002
【特許請求の範囲】
【請求項１】
有底筒体の容器中央部に縦仕切りを一体成型し分離された２つの分離室を備えた容器本体と、該容器本体の上端面の周縁部近傍に前記縦仕切りを挟んで点対称位置に円筒体の飲み口を設けた蓋体と、前記容器本体の上端縁と前記蓋体の円周縁とを熱溶着すると共に前記飲み口にキャップを螺合したことを特徴とする２種飲料用容器。
【請求項２】
前記縦仕切りは、前記飲み口と対応するように点対称に容器胴体と前記縦仕切りの接合部にＲ形状の円弧部を形成することを特徴とする請求項１記載の２種飲料用容器。
【請求項３】
前記縦仕切りは、容器胴体と前記縦仕切りの接合部にＲ形状の円弧部を両側に形成することを特徴とする請求項１記載の２種飲料用容器。
【請求項４】
前記２種飲料用容器の形状を楕円形状とすることを特徴とする請求項１、２または３記載の２種飲料用容器。
【発明の詳細な説明】
【技術分野】
【０００１】
本発明は、１つの飲料用容器で２種類の飲料を飲むことができ、かつ自動販売機でも販売できる２種飲料用容器に関する。
【背景技術】
【０００２】
従来、天然水、ジュース、牛乳、アルコール飲料の容器として、アルミ缶、ペットボトル、紙パック等が使用されており、また自動販売機でも多種類の飲料水が販売されている。
そのため、色々な容器が開発されて来ており、子供の飲み残しや種類の違うジュースを飲みたい等の要望に答えるために、飲料容器に仕切りを設けることが考えられている。
そこで、適量な量を提供できると共に、炭酸ガス入りの飲料でも分別して有効に飲用でき、さらに複数人でも清潔に飲用でき、さらに多様な味覚も楽しめる飲料用缶容器が知られている（特許文献１を参照）。
この公知技術は、缶本体の内部に縦仕切り壁を形成して内部を左右２室の飲料室に仕切り、各飲料室の上端板にそれぞれ開口可能な飲み口を設けた飲料用缶容器である。
しかし、この飲料用缶容器は、アルミニウムやスチールから形成されており、端面がステイオンタブ式の飲み口であり、飲み残しができないものであって、かつ液密仕切りの製造が難しいものであった。
【０００３】
また、容器内に複数の液体を小分けして充填可能にすることで、多様化するニーズに応えるようにし、長期間一定の品質を保持し、さらには軽量で運搬性に優れた液体包装容器が知られている（特許文献２を参照）。
この公知技術は、ペットボトル本体の中心軸方向に仕切板が延びており、容器内を互いに液密な液溜室に仕切って、各液溜室に連通するように容器本体の上部に口筒が取付けられている液体包装容器である。
しかし、この液体包装容器は、飲み残しができ、かつ液密であって、液溜室のそれぞれを模（かたど）った半円筒状の容器を２個形成するものであるが、この半円筒状容器の筒側面を熱溶着して仕切板を形成するものであった為、２つの半円筒状の容器を接着する構造に、２個に分離する等の恐れがあるものであった。
【先行技術文献】
【特許文献】
【０００４】
【特許文献１】特開平９−７７０６３号公報（図１を参照）
【特許文献２】登録実用新案第３００１５９７号公報（図１，２を参照）
【発明の概要】
【発明が解決しようとする課題】
【０００５】
本発明は、１つの飲料用容器で２種類の飲料水を飲むことができ、かつ飲み残しを無くすることができ、液密の仕切りを形成し構造的に強い２種飲料用容器を提供することを目的とする。
【課題を解決するための手段】
【０００６】
本発明の２種飲料用容器は、有底筒体の容器中央部に縦仕切りを一体成型し分離された２つの分離室を備えた容器本体と、該容器本体の上端面の周縁部近傍に前記縦仕切りを挟んで点対称位置に円筒体の飲み口を設けた蓋体と、前記容器本体の上端縁と前記蓋体の円周縁とを熱溶着すると共に前記飲み口にキャップを螺合したものである。
前記縦仕切りは、前記飲み口と対応するように点対称に容器胴体と前記縦仕切りの接合部にＲ形状の円弧部を形成する。
前記縦仕切りは、容器胴体と前記縦仕切りの接合部にＲ形状の円弧部を両側に形成する。
前記２種飲料用容器の形状を楕円形状とする。
【発明の効果】
【０００７】
本発明の２種飲料用容器は、有底筒体の容器中央部に縦仕切りを一体成型し分離された２つの分離室を備えた容器本体と、該容器本体の上端面の周縁部近傍に前記縦仕切りを挟んで点対称位置に円筒体の飲み口を設けた蓋体と、前記容器本体の上端縁と前記蓋体の円周縁とを熱溶着すると共に前記飲み口にキャップを螺合したため、１つの飲料用容器で２種類の飲料水を飲むことができ、かつ飲み残しを無くすることができ、液密の仕切りを形成し構造的に強くすることができる効果がある。
【図面の簡単な説明】
【０００８】
【図１】本発明の２種飲料用容器の正面図である。
【図２】本発明の２種飲料用容器の平面図である。
【図３】本発明の２種飲料用容器の断面図である。
【図４】本発明の２種飲料用容器の他の実施例の断面図である。
【図５】本発明の２種飲料用容器のその他の実施例の斜視図である。
【発明を実施するための形態】
【０００９】
本発明の２種飲料用容器の一実施例を添付図面に基づいて、以下に説明する。
図１の正面図に示すように、本発明の２種飲料用容器は、有底筒体の容器中央部に縦仕切り１を一体成型し分離された２つの分離室２，２を備えた容器本体３と、該容器本体３の上端面の周縁部近傍に前記縦仕切りを１挟んで点対称位置に円筒体の飲み口４，４を設けた蓋体５と、前記容器本体３の上端縁と前記蓋体５の円周縁とを熱溶着すると共に前記飲み口４，４にキャップ６，６を螺合したものである。
【００１０】
前記容器本体３は、原料材料として食品安全規格に合致する安全な合成樹脂素材を使用し、インジェクション成形（射出成形）等の一体成型により透明又は半透明の容器中央部に前記縦仕切り１により分離された２つの分離室２，２を備えた飲料容器を形成する。
【００１１】
前記縦仕切り１は、図３の断面図に示すように、前記飲み口４，４と対応するように点対称に容器胴体７と前記縦仕切り１との接合部にＲ形状の円弧部８を形成する。前記円弧部８を形成することにより、前記飲み口４と前記円弧部８が一致し飲み残しを無くすることができる。
また、図４の断面図に示すように、前記容器胴体７と前記縦仕切り１との接合部にＲ形状の円弧部８を両側に形成することにより、前記飲み口４と前記円弧部８が一致し飲み残しを無くすることができると共に、前記容器本体３の強度アップの効果を奏する。
【００１２】
前記蓋体５は、図２に示すように、原料材料として食品安全規格に合致する安全な合成樹脂素材を使用し、インジェクション成形（射出成形）等の一体成型により透明又は半透明の円板体の周縁部近傍に前記縦仕切り１を挟んで点対称位置に円筒体の飲み口４，４を設ける。
【００１３】
次に、本発明の２種飲料用容器の製造方法を添付図面に基づいて、以下に説明する。
インジェクション成形（射出成形）等の一体成型により形成された容器本体３及び蓋体５を、前記容器本体３の上端縁と前記蓋体５の円周縁とを重ね合わせて一致させ、前記縦仕切り１を挟んで点対称位置になるように前記飲み口４，４を前記円弧部８に合わせて、前記容器本体３の上端縁と前記蓋体５の円周縁とを超音波シール等により熱溶着する。
さらに、前記飲み口４，４から２種類の飲料を充填し、最後に開封を検知する安全リング付きキャップ６，６で密封する。
【００１４】
さらに、本発明の２種飲料用容器のその他の実施例を添付図面に基づいて、以下に説明する。
図５の斜視図に示すように、本発明の２種飲料用容器の形状を楕円形状とすることもできる。その場合でも、インジェクション成形（射出成形）等の一体成型により形成すると共に、縦仕切り１を挟んで点対称位置に飲み口４，４が来るように前記容器本体３の上端縁と前記蓋体５の円周縁とを超音波シール等により熱溶着する。
楕円形の２種飲料容器とすることにより、両飲み口４，４の間が離れるので、飲用の際に反対側の飲み口４が鼻に当たって飲み難くなるようなことがなくなる。なお、円形の２種飲料容器の場合には、容器本体３を傾けて容器胴体７と縦仕切り１が略Ｖ字形となるようにして飲めば、飲用の際に反対側の飲み口４が鼻に当たって飲み難くなるようなことがなくなるし、最下部に飲み口４が来るので飲み残しも無くすることができる。
【符号の説明】
【００１５】
１  縦仕切り
２  分離室
３  容器本体
４  飲み口
５  蓋体
６  安全リング付きキャップ
７  容器胴体
８  円弧部
【図１】
2014159294.tif 000003
【図２】
2014159294.tif 000004
【図３】
2014159294.tif 000005
【図４】
2014159294.tif 000006
【図５】
2014159294.tif 000007